(57)【要約】【課題】  ユーザ指示（インタラクティブ操作）を簡易に実現することを可能とする投写型映像表示装置を提供する。【解決手段】  投写型映像表示装置１００は、投写面上に設けられる特定領域と処理内容とを対応付ける情報を記憶するように構成された記憶部３１０と、特定領域において光を遮光する物体を検出するように構成された検出部３２０と、特定領域において光を遮光する物体の検出時間が一定期間以上である場合に、特定領域と対応付けられる処理内容の実行を指示するように構成された指示部３３０とを備える。【選択図】  図６
2011158675.tif 000002
【特許請求の範囲】
【請求項１】
光源から出射される光を変調するように構成された光変調素子と、前記光変調素子から出射される光を投写面上に投写する投写光学系とを備える投写型映像表示装置であって、
前記投写面上に設けられる特定領域と前記投写型映像表示装置に対する処理内容とを対応付ける情報を記憶するように構成された記憶部と、
前記特定領域において光を遮光する物体を検出するように構成された検出部と、
前記特定領域において光を遮光する物体の検出時間が一定期間以上である場合に、前記特定領域と対応付けられる前記処理内容の実行を指示するように構成された指示部とを備えることを特徴とする投写型映像表示装置。
【請求項２】
前記特定領域は、前記投写光学系から出射される光が投写される投写領域の内側と前記投写領域の外側との境界領域であることを特徴とする請求項１に記載の投写型映像表示装置。
【請求項３】
前記記憶部は、前記特定領域において光を遮光する物体の移動パターンと前記処理内容とを対応付ける情報を記憶しており、
前記指示部は、前記特定領域において光を遮光する物体が前記移動パターンで検出された場合に、前記移動パターンと対応付けられる前記処理内容の実行を指示することを特徴とする請求項１に記載の投写型映像表示装置。
【請求項４】
前記特定領域に対して特定光を出射するように構成された特定光源をさらに備え、
前記特定領域は、前記投写光学系から出射される光が投写される投写領域外に設けられており、
前記検出部は、前記特定領域において、前記特定光源から出射される光を遮光する物体を検出することを特徴とする請求項１に記載の投写型映像表示装置。
【請求項５】
前記特定光源は、複数種類の特定光を出射するように構成されており、
前記記憶部は、前記複数種類の特定光のうち、前記特定領域において物体によって遮光され得る１以上の特定光によって構成される組み合わせと前記処理内容とを対応付ける情報を記憶しており、
前記指示部は、前記特定領域において物体によって遮光される特定光の組み合わせと対応付けられる処理内容の実行を指示することを特徴とする請求項３に記載の投写型映像表示装置。
【発明の詳細な説明】
【技術分野】
【０００１】
本発明は、光源から出射される光を変調するように構成された光変調素子と、光変調素子から出射される光を投写面上に投写するように構成された投写光学系とを備える投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
ここで、ユーザ指示に応じて、投写型映像表示装置に対する処理をインタラクティブに実行する方法が知られている。ユーザ指示は、例えば、ページ送り、ページ戻り、動画再生、動画停止などの指示である。
【０００４】
一般的には、投写型映像表示装置は、パーソナルコンピュータなどに接続されており、パーソナルコンピュータから映像信号を受信する。従って、例えば、パーソナルコンピュータの操作によってユーザ指示が実現される。或いは、投写型映像表示装置に設けられるボタンの操作によってユーザ指示が実現される。或いは、投写型映像表示装置に専用のリモートコントローラの操作によってユーザ指示が実現される。
【０００５】
さらには、投写面上に投写された映像を利用して、ユーザ指示を実現する方法も提案されている。例えば、映像にユーザ指示のアイコンを含む映像を投写面上に投写するとともに、専用の指示棒によって特定されるポインタの座標を特定することによって、処理対象のユーザ指示のアイコンを特定する技術が提案されている（例えば、特許文献１）。
【先行技術文献】
【特許文献】
【０００６】
【特許文献１】特開２００２−９１７００号公報
【発明の概要】
【発明が解決しようとする課題】
【０００７】
ところで、投写面上に投写された映像を利用して、ユーザ指示を実現する方法では、処理対象のユーザ指示のアイコンを特定するために、ポインタの座標を特定する必要がある。
【０００８】
上述したように、ポインタの座標を特定するために、専用の指示棒を用いることが考えられる。しかしながら、専用の指示棒が必要になるため、ユーザの利便性が損なわれる。
【０００９】
或いは、投写面上に投写された映像及びポインタを撮像装置によって撮像することによって、ポインタの座標を特定することも考えられるが、高い撮像精度を有する撮像装置を投写型映像表示装置に設ける必要がある。従って、投写型映像表示装置のコストが増大してしまう。
【００１０】
そこで、本発明は、上述した課題を解決するためになされたものであり、ユーザ指示（インタラクティブ操作）を簡易に実現することを可能とする投写型映像表示装置を提供することを目的とする。
【課題を解決するための手段】
【００１１】
第１の特徴に係る投写型映像表示装置は、光源（光源１０）から出射される光を変調するように構成された光変調素子（DMD７０）と、前記光変調素子から出射される光を投写面上に投写する投写光学系（投写光学系１１０）とを備える。投写型映像表示装置は、前記投写面上に設けられる特定領域と前記投写型映像表示装置に対する処理内容とを対応付ける情報を記憶するように構成された記憶部（記憶部３１０）と、前記特定領域において光を遮光する物体を検出するように構成された検出部（検出部３２０）と、前記特定領域において光を遮光する物体の検出時間が一定期間以上である場合に、前記特定領域と対応付けられる前記処理内容の実行を指示するように構成された指示部（指示部３３０）とを備える。
【００１２】
第１の特徴において、前記特定領域は、前記投写光学系から出射される光が投写される投写領域の内側と前記投写領域の外側との境界領域である。
【００１３】
第１の特徴において、前記記憶部は、前記特定領域において光を遮光する物体の移動パターンと前記処理内容とを対応付ける情報を記憶する。前記指示部は、前記特定領域において光を遮光する物体が前記移動パターンで検出された場合に、前記移動パターンと対応付けられる前記処理内容の実行を指示する。
【００１４】
第１の特徴において、前記特定領域に対して特定光を出射するように構成された特定光源（特定光源４１０）をさらに備える。前記特定領域は、前記投写光学系から出射される光が投写される投写領域外に設けられる。前記検出部は、前記特定領域において、前記特定光源から出射される光を遮光する物体を検出する。
【００１５】
第１の特徴において、前記特定光源は、複数種類の特定光を出射するように構成される。前記記憶部は、前記複数種類の特定光のうち、前記特定領域において物体によって遮光され得る１以上の特定光によって構成される組み合わせと前記処理内容とを対応付ける情報を記憶する。前記指示部は、前記特定領域において物体によって遮光される特定光の組み合わせと対応付けられる処理内容の実行を指示する。
【発明の効果】
【００１６】
本発明によれば、ユーザ指示（インタラクティブ操作）を簡易に実現することを可能とする投写型映像表示装置を提供することができる。
【図面の簡単な説明】
【００１７】
【図１】第１実施形態に係る投写型映像表示装置１００の概略構成を示す図である。
【図２】第１実施形態に係る投写型映像表示装置１００の概略構成を示す図である。
【図３】第１実施形態に係る投写型映像表示装置１００の光学構成を説明するための図である。
【図４】第１実施形態に係る第１筐体２００Ａのスライドを説明するための図である。
【図５】第１実施形態に係る第１筐体２００Ａのスライドを説明するための図である。
【図６】第１実施形態に係る制御ユニット３００を示すブロック図である。
【図７】第１実施形態に係る処理内容の実行例を説明するための図である。
【図８】第１実施形態に係る処理内容の実行例を説明するための図である。
【図９】変更例１に係る処理内容の実行例を説明するための図である。
【図１０】変更例１に係る処理内容の実行例を説明するための図である。
【図１１】変更例１に係る処理内容の実行例を説明するための図である。
【図１２】変更例１に係る処理内容の実行例を説明するための図である。
【図１３】変更例２に係る特定光源４１０を説明するための図である。
【図１４】変更例３に係る特定光源４１０を説明するための図である。
【図１５】変更例３に係る処理内容の実行例を説明するための図である。
【発明を実施するための形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る投写型映像表示装置は、光源から出射される光を変調するように構成された光変調素子と、光変調素子から出射される光を投写面上に投写する投写光学系とを備える。投写型映像表示装置は、投写面上に設けられる特定領域と投写型映像表示装置に対する処理内容とを対応付ける情報を記憶するように構成された記憶部と、特定領域において光を遮光する物体を検出するように構成された検出部と、特定領域において光を遮光する物体の検出時間が一定期間以上である場合に、特定領域と対応付けられる処理内容の実行を指示するように構成された指示部とを備える。
【００２１】
実施形態では、指示部は、特定領域において光を遮光する物体の検出時間が一定期間以上である場合に、特定領域と対応付けられる処理内容の実行を指示する。従って、高い撮像精度を有する撮像装置を必要とせずに、ユーザ指示（インタラクティブ操作）を簡易に実現することができる。
【００２２】
［第１実施形態］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２３】
図１及び図２に示すように、投写型映像表示装置１００は、筐体２００を有しており、投写面（不図示）に映像を投写する。筐体２００には、後述する投写光学系１１０から出射される光を透過する透過領域２１０が設けられる。
【００２４】
ここで、投写面は、図１に示すように、床面に設けられていてもよく、図２に示すように、壁面に設けられてもよい。すなわち、投写型映像表示装置１００は、映像光を床面に投写するように配置されてもよく、映像光を壁面に投写するように配置されてもよい。
【００２５】
なお、投写型映像表示装置１００によって表示される映像のサイズは、例えば、２０インチ程度である。また、投写型映像表示装置１００と投写面との距離が非常に近いことに留意すべきである。
【００２６】
（投写型映像表示装置の光学構成）
以下において、第１実施形態に係る投写型映像表示装置の光学構成について、図面を参照しながら説明する。図３は、第１実施形態に係る投写型映像表示装置１００の光学構成を主として示す図である。
【００２７】
図３に示すように、投写型映像表示装置１００は、投写光学系１１０と、照明光学系１２０と、冷却ファン１３０と、駆動装置１４０とを有する。また、投写型映像表示装置１００は、DMD７０と、反射プリズム８０とを有する。
【００２８】
また、筐体２００は、第１筐体２００Ａ及び第２筐体２００Ｂによって構成される。上述した透過領域２１０は、第１筐体２００Ａに設けられる。なお、第１筐体２００Ａの一部又は全部は、後述するように、第２筐体２００Ｂに収容可能に構成される。
【００２９】
投写光学系１１０は、DMD７０から出射された色成分光（映像光）を投写面に投写する。具体的には、投写光学系１１０は、投写レンズ群１１１と、反射ミラー１１２とを有する。
【００３０】
投写レンズ群１１１は、DMD７０から出射された色成分光（映像光）を反射ミラー１１２側に出射する。投写レンズ群１１１は、投写光学系１１０の光軸Ｌを中心とする略円形形状のレンズ、投写光学系１１０の光軸Ｌを中心とする略円形形状の一部分によって構成される形状（例えば、下半分の半円形状）のレンズなどを含む。
【００３１】
なお、投写レンズ群１１１に含まれるレンズの径は、反射ミラー１１２に近いほど大きいことに留意すべきである。
【００３２】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｌを中心とする略円形形状の一部分によって構成される形状（例えば、下半分の半円形状）を有する。
【００３３】
反射ミラー１１２で集光された映像光は、筐体２００に設けられた透過領域２１０を透過する。筐体２００に設けられた透過領域２１０は、反射ミラー１１２によって映像光が集光される位置近傍に設けられることが好ましい。
【００３４】
照明光学系１２０は、光源１０と、ダイクロイックプリズム３０と、ロッドインテグレータ４０と、ミラー５１と、ミラー５２と、レンズ６１と、レンズ６２と、レンズ６３とを有する。
【００３５】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３６】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３７】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３８】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３９】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００４０】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４１】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４２】
ミラー５１及びミラー５２は、ロッドインテグレータ４０から出射された光をDMD７０に導くために、光の光路を折り曲げる反射ミラーである。
【００４３】
レンズ６１、レンズ６２及びレンズ６３は、光源１０から出射された色成分光の拡大を抑制しながら、色成分光をDMD７０上に略結像するリレーレンズである。
【００４４】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４５】
駆動装置１４０は、第２筐体２００Ｂの内壁に沿って第１筐体２００Ａをスライドさせる装置である。具体的には、駆動装置１４０は、スライド機構１４１及び回動機構１４２を駆動する。図４及び図５に示すように、スライド機構１４１は、第２筐体２００Ｂの内壁に沿って第１筐体２００Ａをスライドさせる。回動機構１４２は、第１筐体２００Ａのスライドと連動して、回動軸Ｐを中心として反射ミラー１１２を回動する。
【００４６】
DMD７０は、は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００４７】
反射プリズム８０は、照明光学系１２０から出射される光をDMD７０側に透過する。一方で、反射プリズム８０は、DMD７０から出射される光を投写光学系１１０側に反射する。
【００４８】
（制御ユニットの構成）
以下において、第１実施形態に係る制御ユニットについて、図面を参照しながら説明する。図６は、第１実施形態に係る制御ユニット３００を示すブロック図である。制御ユニット３００は、投写型映像表示装置１００に設けられており、投写型映像表示装置１００を制御する。
【００４９】
図６に示すように、制御ユニット３００は、記憶部３１０と、検出部３２０と、指示部３３０とを有する。
【００５０】
記憶部３１０は、投写面上に設けられる特定領域と投写型映像表示装置１００に対する処理内容とを対応付ける情報を記憶する。
【００５１】
ここで、特定領域は、投写型映像表示装置１００（投写光学系１１０）から出射される光が投射される投写領域内に設けられていてもよく、投写領域外に設けられていてもよい。例えば、特定領域は、投写領域の４辺である。或いは、特定領域は、投写領域の４隅である。
【００５２】
ここで、特定領域は、投写領域の内側と投写領域の外側との境界領域（例えば、投写領域の４辺、投写領域の４隅）であることが好ましい。このような境界領域では、輝度の変化が大きいため、特定領域において光を遮光する物体を容易に検出できることに留意すべきである。
【００５３】
また、処理内容は、投写型映像表示装置１００に実行させるべき処理である。例えば、処理内容は、投写型映像表示装置１００の電源ＯＮ／OFFの切り替え、投写領域に投写される映像の回転、投写領域に投写される映像の再生／停止の切り替え、投写型映像表示装置１００に設けられるモードの切り替えなどである。また、処理内容は、例えば、投写領域に投写される映像のページ送り、投写領域に投写される映像のページ戻り、投写型映像表示装置１００の設定（明るさ調整やコントラスト調整）を変更するためのメニュー呼び出しなどである。
【００５４】
検出部３２０は、特定領域において光を遮光する物体（例えば、ユーザの手など）を検出する。具体的には、第１実施形態では、検出部３２０は、特定領域において、投写型映像表示装置１００（投写光学系１１０）から出射される光を遮光する物体を検出することが好ましい。すなわち、特定領域は、投写領域内に設けられることが好ましい。
【００５５】
検出部３２０は、例えば、特定領域における明るさの変化を検出可能に構成された撮像素子である。或いは、検出部３２０は、例えば、特定領域における明るさの変換を検出可能に構成された照度センサであってもよい。照度センサは、特定領域のみをカバーする指向性を有することが好ましい。
【００５６】
指示部３３０は、特定領域において光を遮光する物体の検出時間が一定期間以上である場合に、特定領域と対応付けられる処理内容の実行を指示する。具体的には、投写型映像表示装置１００内で処理が完結する処理内容については、指示部３３０は、投写型映像表示装置１００に設けられる機能ブロック（例えば、電源ブロックなど）に対して、特定領域と対応付けられる処理内容の実行を指示する。或いは、投写型映像表示装置１００内で処理が完結しない処理内容については、他の装置（例えば、投写型映像表示装置１００に接続されたパーソナルコンピュータなど）に対して、特定領域と対応付けられる処理内容の実行を指示する。
【００５７】
（処理内容の実行例）
以下において、第１実施形態に係る処理内容の実行例について、図面を参照しながら説明する。図７及び図８は、第１実施形態に係る処理内容の実行例を説明するための図である。
【００５８】
第１に、特定領域が投写領域の４隅に設けられるケースについて、図７を参照しながら説明する。図７に示すように、投写領域の４隅に設けられた４つの特定領域には、それぞれ、互いに異なる処理内容が対応付けられている。
【００５９】
第２に、特定領域が投写領域の４辺に設けられるケースについて、図８を参照しながら説明する。図８に示すように、投写領域の４辺に設けられた４つの特定領域には、それぞれ、互いに異なる処理内容が対応付けられている。
【００６０】
（作用及び効果）
第１実施形態では、指示部３３０は、特定領域において光を遮光する物体の検出時間が一定期間以上である場合に、特定領域と対応付けられる処理内容の実行を指示する。従って、高い撮像精度を有する撮像装置を必要とせずに、ユーザ指示（インタラクティブ操作）を簡易に実現することができる。
【００６１】
すなわち、「特定領域において光を遮光する物体の検出時間が一定期間以上である」という明確に識別可能なトリガーに応じて、特定領域と対応付けられる処理内容が実行されるため、低い撮像精度を有する撮像装置を用いても、処理内容を識別することができる。
【００６２】
特に、特定領域が、投写領域の内側と投写領域の外側との境界領域（例えば、投写領域の４辺、投写領域の４隅）である場合には、特定領域において光を遮光する物体の検出が容易である。これは、投写光により明るくなる投写領域の内側と、投写光が照射されない投写領域の外側とでは、明るさ（特に、輝度値）に大きな差が生じるため、低い撮像精度を有する撮像装置を用いても、物体の識別が容易であるためである。従って、処理内容を容易に識別することができる。
【００６３】
［変更例１］
以下において、第１実施形態の変更例１について、図面を参照しながら説明する。以下においては、第１実施形態との相違点について主として説明する。
【００６４】
変更例１では、記憶部３１０は、特定領域における光の移動パターンと処理内容とを対応付ける情報を記憶する。
【００６５】
ここで、移動パターンは、特定領域において光を遮光する物体の位置（物体位置）の時間的な変化を示すパターンである。移動パターンは、例えば、物体位置が所定方向に直線状に移動するパターン、物体位置が所定形状を描くように移動するパターンなどである。
【００６６】
指示部３３０は、特定領域において光を遮光する物体が移動パターンで検出された場合に、移動パターンと対応付けられる処理内容の実行を指示する。
【００６７】
なお、移動パターンは、物体位置の時間的な変化を示すパターンであるため、移動パターンを検出するために一定時間が必要であることに留意すべきである。従って、変更例１においても、第１実施形態と同様に、指示部３３０は、特定領域において光を遮光する物体の検出時間が一定時間以上である場合に、処理内容の実行を指示する。
【００６８】
（処理内容の実行例）
以下において、第１実施形態に係る処理内容の実行例について、図面を参照しながら説明する。図９〜図１２は、第１実施形態に係る処理内容の実行例を説明するための図である。
【００６９】
例えば、図９に示すように、特定領域内において物体位置が所定方向に直線状に移動する移動パターンに対して、“ページ送り”が処理内容として対応付けられる。なお、図９では、特定領域は、例えば、投写領域の全体である。
【００７０】
或いは、図１０に示すように、特定領域内において物体位置が所定方向に直線状に移動する移動パターンに対して、“拡大／縮小”が処理内容として対応付けられる。なお、図１０では、特定領域は、例えば、投写領域の一辺である。
【００７１】
或いは、図１１に示すように、特定領域内において物体位置が円形状を描くように移動する移動パターンに対して、“画面回転”が処理内容として対応付けられる。なお、図１１では、特定領域は、例えば、投写領域の全体である。
【００７２】
或いは、図１２に示すように、特定領域内において物体位置が４角形状を描くように移動する移動パターンに対して、“再生”が処理内容として対応付けられる。なお、図１２では、特定領域は、例えば、投写領域の全体である。
【００７３】
（作用及び効果）
変更例１では、指示部３３０は、特定領域において光を遮光する物体が移動パターンで検出された場合に、移動パターンと対応付けられる処理内容の実行を指示する。従って、指示部３３０によって指示可能な処理内容の種類を容易に増やすことができる。
【００７４】
［変更例２］
以下において、第１実施形態の変更例２について、図面を参照しながら説明する。以下においては、第１実施形態との相違点について主として説明する。
【００７５】
変更例２では、投写型映像表示装置１００は、図１３に示すように、特定領域に対して特定光を出射する特定光源４１０を有する。また、特定領域は、投写型映像表示装置１００から出射される光が投写される投写領域外に設けられる。
【００７６】
特定光源４１０は、投写領域に投写される映像を構成するための光源１０とは別体である。特定光源４１０は、例えば、投写型映像表示装置１００の上部に設けられてもよく、投写型映像表示装置１００の下部に設けられてもよい。なお、図１３では、投写型映像表示装置１００の下部に特定光源４１０が設けられるケースが例示されている。
【００７７】
上述した検出部３２０は、投写領域外に設けられる特定領域において、特定光源４１０から出射される光を遮光する物体を検出する。検出部３２０は、第１実施形態と同様に、撮像装置であってもよく、照度センサであってもよい。
【００７８】
また、特定光源４１０が赤外光を出射するように構成されている場合には、検出部３２０は、赤外線センサであってもよい。
【００７９】
（作用及び効果）
変更例２では、検出部３２０は、投写領域外に設けられる特定領域において、特定光源４１０から出射される光を遮光する物体を検出する。従って、特定領域における光の遮光の検出精度が向上する。さらには、指示部３３０が誤って処理内容を指示することを抑制することができる。
【００８０】
［変更例３］
以下において、第１実施形態の変更例３について、図面を参照しながら説明する。以下においては、第１実施形態との相違点について主として説明する。
【００８１】
具体的には、変更例３では、図１４に示すように、投写型映像表示装置１００は、図１４に示すように、特定領域に対して特定光を出射する特定光源４１０を有する。また、特定領域は、投写型映像表示装置１００から出射される光が投写される投写領域外に設けられる（変更例２と同様）。
【００８２】
ここで、特定光源４１０は、複数種類の特定光を出射する。ここで、「複数種類」とは、特定光の色が異なることを意味してもよく、特定光が照射される位置が異なることを意味してもよい。
【００８３】
例えば、特定光源４１０は、赤光Ｒを出射する赤発光素子、緑光Ｇを出射する緑発光素子、青光Ｂを出射する青発光素子によって構成されてもよい。或いは、特定光源４１０は、同種の特定光を別々の特定領域に出射する複数の発光素子によって構成されてもよい。或いは、特定光源４１０から出射される光の光路上に回折素子を設けることによって、特定光源４１０から出射される光が回折素子を介して複数の位置に照射されてもよい。
【００８４】
なお、図１４では、赤光Ｒ、緑光Ｇ及び青光Ｂを特定光源４１０が別々の特定領域に出射するケースが例示されている。また、投写型映像表示装置１００の上部に特定光源４１０が設けられるケースが例示されている。
【００８５】
上述した記憶部３１０は、複数種類の特定光のうち、特定領域において遮光され得る１以上の特定光の組み合わせと処理内容とを対応付ける情報を記憶する。
【００８６】
上述した検出部３２０は、特定光源４１０から出射される複数種類の特定光を遮光する物体を複数種類の特定光毎に検出する。検出部３２０は、撮像装置であることが好ましい。なお、複数種類の特定光が別々の特定領域に照射される場合には、検出部３２０は、各特定領域において光を遮光する物体を検出する複数の照度センサであってもよい。
【００８７】
上述した指示部３３０は、特定領域において物体によって遮光される特定光の組み合わせと対応付けられる処理内容の実行を指示する。詳細には、指示部３３０は、特定領域において一定時間以上物体によって遮光される特定光の組み合わせと対応付けられる処理内容の実行を指示することに留意すべきである。
【００８８】
（処理内容の実行例）
以下において、第１実施形態に係る処理内容の実行例について、図面を参照しながら説明する。図１５は、第１実施形態に係る処理内容の実行例を説明するための図である。
【００８９】
図１５に示すように、赤光Ｒ、緑光Ｇ及び青光Ｂのうち、特定領域において遮光され得る１以上の特定光によって構成される組み合わせ（７パターン）は、それぞれ、処理内容（７種類）と対応付けられる。
【００９０】
例えば、赤光Ｒのみが物体によって遮光される組み合わせに対して、“ページ送り”が対応付けられる。緑光Ｇのみが物体によって遮光される組み合わせに対して、“再生／停止”が対応付けられる。青光Ｂのみが物体によって遮光される組み合わせに対して、“ページ戻り”が対応付けられる。或いは、赤光Ｒ、緑光Ｇ及び青光Ｂの全てが物体によって遮光される組み合わせに対して、“電源ＯＮ／ＯＦＦ”が対応付けられる。
【００９１】
（作用及び効果）
変更例３では、特定領域において物体によって遮光される特定光の組み合わせと対応付けられる処理内容の実行を指示する。従って、指示部３３０によって指示可能な処理内容の種類を容易に増やすことができる。
【００９２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９３】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。
【００９４】
上述した実施形態では、主として、複数種類の処理内容を実行可能なケースについて例示したに過ぎない。具体的には、１種類の処理内容のみが実行可能であってもよい。
【符号の説明】
【００９５】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写光学系、１１１…投写レンズ群、１１２…反射ミラー、１２０…照明光学系、１３０…冷却ファン、１４０…駆動装置、１４１…スライド機構、１４２…回動機構、２００…筐体、２００Ａ…第１筐体、２００Ｂ…第２筐体、２１０…透過領域、３００…制御ユニット、３１０…記憶部、３２０…検出部、３３０…指示部、４１０…特定光源
【図１】
2011158675.tif 000003
【図２】
2011158675.tif 000004
【図３】
2011158675.tif 000005
【図４】
2011158675.tif 000006
【図５】
2011158675.tif 000007
【図６】
2011158675.tif 000008
【図７】
2011158675.tif 000009
【図８】
2011158675.tif 000010
【図９】
2011158675.tif 000011
【図１０】
2011158675.tif 000012
【図１１】
2011158675.tif 000013
【図１２】
2011158675.tif 000014
【図１３】
2011158675.tif 000015
【図１４】
2011158675.tif 000016
【図１５】
2011158675.tif 000017